【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
複数種類の図柄を変動させて図柄変動ゲームを実行する演出実行手段と、前記図柄変動ゲームが大当りか否かの大当り判定を行う大当り判定手段と、を備え、前記大当り判定手段の判定結果が肯定とされた図柄変動ゲーム終了後に特別入賞手段が開閉動作する大当り遊技が付与される遊技機において、
前記大当り判定手段の判定結果が肯定の場合、大当り遊技終了後に前記大当り判定手段の判定結果が肯定となる確率が通常よりも高確率となる確変状態が付与される確変大当り遊技と、大当り遊技終了後に確変状態が付与されない非確変大当り遊技のうち付与する大当り遊技を決定する大当り遊技決定手段と、
前記大当り遊技決定手段が決定した大当り遊技を付与する大当り遊技付与手段と、
前記大当り遊技付与手段が確変大当り遊技を付与した場合、当該確変大当り遊技の終了後に確変状態を付与する確変状態付与手段と、
図柄変動ゲームが大当りとなる可能性を示唆する予告演出を実行するか否かを判定する予告判定手段と、
前記予告判定手段の判定結果が肯定の場合、前記大当り判定手段の判定結果に応じて、大当り期待度の異なる複数種類の予告演出の中から実行する予告演出の種類を選択する予告演出選択手段と、
前記予告演出選択手段が選択した種類の予告演出を予告演出実行手段に実行させる予告演出制御手段と、
確変状態が付与されているとき、前記大当り判定手段の判定結果が否定とされた図柄変動ゲームにおいて、前記予告演出選択手段が大当り期待度の高い予告演出を選択した場合、当該選択した予告演出の種類を特定可能な予告情報を記憶する予告演出記憶手段と、を備え、
前記予告演出選択手段は、
前記予告演出記憶手段に大当り期待度の高い予告演出を特定できる予告情報が記憶されている場合、前記予告演出記憶手段に前記予告情報が記憶されていない場合の選択態様とは異なる選択態様で予告演出を選択し、
前記大当り遊技決定手段が非確変大当り遊技を決定した図柄変動ゲームで実行する予告演出の種類を選択する際には、前記予告演出記憶手段に記憶された予告情報から特定可能な予告演出とは異なる種類の予告演出を選択することを特徴とする遊技機。
【請求項２】
大当り期待度の高い予告演出は複数種類あり、それぞれ大当り期待度が異なっており、
前記予告演出選択手段は、
前記予告演出記憶手段に全種類の予告情報が記憶されている場合であって、前記大当り遊技決定手段が非確変大当り遊技を決定した図柄変動ゲームで実行する予告演出の種類を選択する際、複数種類の大当り期待度の高い予告演出の中でも大当り期待度が低い種類の予告演出を選択することを特徴とする請求項１に記載の遊技機。
【請求項３】
前記非確変大当り遊技は複数種類あり、それぞれ大当り遊技中に開閉動作する特別入賞手段の合計開放時間が異なっており、
前記予告演出選択手段は、
前記予告演出記憶手段に大当り期待度の高い予告演出を特定できる予告情報が記憶されている場合、前記大当り遊技決定手段が非確変大当り遊技のうち特別入賞手段の合計開放時間が短い非確変大当り遊技を決定した図柄変動ゲームで実行する予告演出の種類を選択する際、前記予告演出記憶手段に記憶された予告情報から特定可能な予告演出とは異なる種類の予告演出を選択することを特徴とする請求項１又は請求項２に記載の遊技機。
【請求項４】
複数種類の予告演出には、前記予告演出選択手段が前記大当り判定手段の判定結果が肯定の場合にのみ前記予告演出選択手段によって選択可能な大当り確定の予告演出があり、前記予告演出選択手段は、前記大当り判定手段の判定結果が肯定とされた図柄変動ゲームにおいて実行する予告演出の種類を選択する際、前記予告演出記憶手段に予告情報が記憶されている場合、前記予告演出記憶手段に予告情報が記憶されていない場合と比較して、高確率で前記大当り確定の予告演出を選択することを特徴とする請求項１〜請求項３のうち何れか一項に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、複数種類の図柄を変動させて図柄変動ゲームを実行する演出実行手段と、前記図柄変動ゲームが大当りか否かの大当り判定を行う大当り判定手段と、を備え、前記大当り判定手段の判定結果が肯定とされた図柄変動ゲーム終了後に特別入賞手段が開閉動作する大当り遊技が付与される遊技機において、前記大当り判定手段の判定結果が肯定の場合、大当り遊技終了後に前記大当り判定手段の判定結果が肯定となる確率が通常よりも高確率となる確変状態が付与される確変大当り遊技と、大当り遊技終了後に確変状態が付与されない非確変大当り遊技のうち付与する大当り遊技を決定する大当り遊技決定手段と、前記大当り遊技決定手段が決定した大当り遊技を付与する大当り遊技付与手段と、前記大当り遊技付与手段が確変大当り遊技を付与した場合、当該確変大当り遊技の終了後に確変状態を付与する確変状態付与手段と、図柄変動ゲームが大当りとなる可能性を示唆する予告演出を実行するか否かを判定する予告判定手段と、前記予告判定手段の判定結果が肯定の場合、前記大当り判定手段の判定結果に応じて、大当り期待度の異なる複数種類の予告演出の中から実行する予告演出の種類を選択する予告演出選択手段と、前記予告演出選択手段が選択した種類の予告演出を予告演出実行手段に実行させる予告演出制御手段と、確変状態が付与されているとき、前記大当り判定手段の判定結果が否定とされた図柄変動ゲームにおいて、前記予告演出選択手段が大当り期待度の高い予告演出を選択した場合、当該選択した予告演出の種類を特定可能な予告情報を記憶する予告演出記憶手段と、を備え、前記予告演出選択手段は、前記予告演出記憶手段に大当り期待度の高い予告演出を特定できる予告情報が記憶されている場合、前記予告演出記憶手段に前記予告情報が記憶されていない場合の選択態様とは異なる選択態様で予告演出を選択し、前記大当り遊技決定手段が非確変大当り遊技を決定した図柄変動ゲームで実行する予告演出の種類を選択する際には、前記予告演出記憶手段に記憶された予告情報から特定可能な予告演出とは異なる種類の予告演出を選択することを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の発明は、請求項１に記載の遊技機において、大当り期待度の高い予告演出は複数種類あり、それぞれ大当り期待度が異なっており、前記予告演出選択手段は、前記予告演出記憶手段に全種類の予告情報が記憶されている場合であって、前記大当り遊技決定手段が非確変大当り遊技を決定した図柄変動ゲームで実行する予告演出の種類を選択する際、複数種類の大当り期待度の高い予告演出の中でも大当り期待度が低い種類の予告演出を選択することを要旨とする。
【手続補正５】
【補正対象書類名】明細書
【補正対象項目名】００１０
【補正方法】変更
【補正の内容】
【００１０】
請求項３に記載の発明は、請求項１又は請求項２に記載の遊技機において、前記非確変大当り遊技は複数種類あり、それぞれ大当り遊技中に開閉動作する特別入賞手段の合計開放時間が異なっており、前記予告演出選択手段は、前記予告演出記憶手段に大当り期待度の高い予告演出を特定できる予告情報が記憶されている場合、前記大当り遊技決定手段が非確変大当り遊技のうち特別入賞手段の合計開放時間が短い非確変大当り遊技を決定した図柄変動ゲームで実行する予告演出の種類を選択する際、前記予告演出記憶手段に記憶された予告情報から特定可能な予告演出とは異なる種類の予告演出を選択することを要旨とする。
請求項４に記載の発明は、請求項１〜請求項３のうち何れか一項に記載の遊技機において、複数種類の予告演出には、前記予告演出選択手段が前記大当り判定手段の判定結果が肯定の場合にのみ前記予告演出選択手段によって選択可能な大当り確定の予告演出があり、前記予告演出選択手段は、前記大当り判定手段の判定結果が肯定とされた図柄変動ゲームにおいて実行する予告演出の種類を選択する際、前記予告演出記憶手段に予告情報が記憶されている場合、前記予告演出記憶手段に予告情報が記憶されていない場合と比較して、高確率で前記大当り確定の予告演出を選択することを要旨とする。
【手続補正６】
【補正対象書類名】明細書
【補正対象項目名】０１１２
【補正方法】変更
【補正の内容】
【０１１２】
次に、上記実施形態及び別例から把握できる技術的思想を以下に追記する。
（イ）前記予告判定手段は、図柄変動ゲームにて予告演出としてリーチ演出を実行するか否かを判定し、前記予告演出選択手段は、複数種類のリーチ演出の演出内容の中から、前記大当り判定手段の判定結果に応じて、予告演出として実行するリーチ演出の演出内容を選択する。
【手続補正７】
【補正対象書類名】明細書
【補正対象項目名】０１１３
【補正方法】削除
【補正の内容】
【手続補正８】
【補正対象書類名】明細書
【補正対象項目名】０１１４
【補正方法】変更
【補正の内容】
【０１１４】
（ハ）大当り遊技終了後、確変状態が付与されている可能性を示唆する確変示唆演出を１又は複数回の図柄変動ゲームに亘って実行する確変示唆演出実行手段を備え、前記予告演出選択手段は、前記確変示唆演出実行手段が確変示唆演出の実行を開始してから終了するまでの間、前記予告演出記憶手段に予告情報が記憶されている場合には、前記予告演出記憶手段に予告情報が記憶されていない場合とは異なる選択態様で予告演出を選択する。
【手続補正９】
【補正対象書類名】明細書
【補正対象項目名】０１１５
【補正方法】変更
【補正の内容】
【０１１５】
（ニ）前記予告演出選択手段は、前記予告演出記憶手段に予告情報が記憶されている場合であって、前記大当り判定手段の判定結果が否定とされた図柄変動ゲームで実行する予告演出の種類を選択する際、前記予告演出記憶手段に記憶された予告情報から特定可能な予告演出とは異なる種類の予告演出を選択する。